(57)【特許請求の範囲】
【請求項１】
縦方向及び横方向と、肌対向面及びその反対側に位置する非肌対向面とを有し、前ウエスト域と、後ウエスト域と、前記前後ウエスト域間に位置するクロッチ域とを有するシャーシと、前記クロッチ域から前記前後ウエスト域へ延びる吸液性コアを有する吸液構造体と、前記前後ウエスト域の両側縁部を連結して画定されるウエスト開口及び一対のレッグ開口とを含むパンツ型の着用物品において、
前記前後ウエスト域は、ストリング状又はストランド状であって前記横方向へ延びる複数条のウエスト弾性体と、前記非肌対向面側に位置する非伸縮性シートと、前記非伸縮性シートに積層されて前記肌対向面側に位置する弾性的に伸縮可能な伸縮性シートとを含み、
前記吸液構造体は、前記縦方向において離間対向する前端部及び後端部を有し、
前記吸液構造体の前記前後端部は、前記縦方向において離間対向する前記吸液性コアの前端縁及び後端縁から前記縦方向の外側へ延びており、
前記伸縮性シートは、弾性的に伸縮可能な不織布からなり、前記ウエスト弾性体の非配置領域に配置されるとともに、前記吸液性コアの前記縦方向の外側であって、前記吸液構造体の前記前後端部と平面視において重なって位置し、前記肌対向面側において前記前後ウエスト域の前記横方向の全域に延びており、
前記シャーシの内面には、前記伸縮性シートによる環状の弾性帯が形成されることを特徴とする前記着用物品。
【請求項２】
前記前後ウエスト域のうち、少なくとも一方のウエスト域は、前記伸縮性シートよりも前記クロッチ域側に位置し、伸長状態で前記横方向へ収縮可能に取り付けられた複数条の前記ウエスト弾性体を含み、
前記一方のウエスト域において、前記伸縮性シートと前記ウエスト弾性体との間には、非弾性領域が形成される請求項１記載の着用物品。
【請求項３】
前記伸縮性シートは、前記縦方向において離間対向し、前記横方向に延びる外端縁部及び内端縁部を有し、前記外端縁部及び前記内端縁部は、前記吸液構造体の前記前後端部と非接合である請求項１または２に記載の着用物品。
【請求項４】
前記非伸縮性シートは、前記肌対向面側において、前記ウエスト開口から前記クロッチ域側へ延びる内層部分を有し、前記内層部分は、前記伸縮性シートの前記外端縁部を覆う請求項３記載の着用物品。
【請求項５】
前記非伸縮性シートの前記内層部分の内端は、前記伸縮性シートに対して非接合である請求項４記載の着用物品。
【請求項６】
前記伸縮性シートは、前記前ウエスト域に位置する第１伸縮性シートと、前記後ウエスト域に位置する第２伸縮性シートとを含み、
着用状態において、前記第１伸縮性シートの内端縁と前記第２伸縮性シートの内端縁とが、前記縦方向において互いに位置ずれしている請求項１〜５のいずれかに記載の着用物品。
【請求項７】
前記第１伸縮性シートと、前記第２伸縮性シートとは、前記縦方向の寸法が異なる請求項６記載の着用物品。
【請求項８】
前記一方のウエスト域において、前記ウエスト弾性体は、前記吸液構造体と平面視において重なる領域において非連続である請求項２記載の着用物品。
【請求項９】
前記吸液構造体は、前記横方向に離間して前記縦方向に延びる一対の防漏カフを含み、
前記防漏カフの前端部及び後端部は、前記シャーシと前記伸縮性シートとの間に位置する請求項１〜８のいずれかに記載の着用物品。
【請求項１０】
前記吸液構造体の前記前後端部のうち、少なくとも一方の端部は、前記縦方向において前記伸縮性シートと前記吸液性コアとの間の領域が、前記シャーシに対して非接合である請求項１〜９のいずれかに記載の着用物品。
【請求項１１】
前記伸縮性シートは、前記縦方向において前記吸液構造体の前端縁及び後端縁の内側に位置する請求項１〜１０のいずれかに記載の着用物品。
【発明の詳細な説明】
【技術分野】
【０００１】
本発明は、パンツ型の着用物品に関する。
【背景技術】
【０００２】
従来、シャーシと、該シャーシの肌対向面に取り付けられた吸液構造体とを備えたパンツ型の着用物品は公知である。例えば、特許文献１には、前後ウエスト域及びクロッチ域を画定するシャーシと、該シャーシの肌対向面に取り付けられた吸液性コアを有する吸液構造体とを備え、前後ウエスト域におけるシャーシの肌対向面側に、環状の伸縮性シートが取り付けられたパンツ型の着用物品が開示されており、環状の伸縮性シートの一部は、吸液性コアの長手方向における両端部と平面視において重なっている。
【先行技術文献】
【特許文献】
【０００３】
【特許文献１】特開２０１０−２７９８１３号公報
【発明の概要】
【発明が解決しようとする課題】
【０００４】
特許文献１に開示された着用物品によれば、環状の伸縮性シートによって、着用物品のウエスト周りを着用者の身体にフィットさせて体液の漏れを防止することができる。
【０００５】
特許文献１における着用物品では、他の領域と比して剛性の高い吸液性コアと重なる位置に伸縮性シートが配置されているため、吸液性コアの影響を受けずに前後ウエスト域を着用者の身体にフィットさせるためには、比較的高い伸長応力を有する伸縮性シートを配置する必要がある。しかし、伸縮性シートの伸長応力を高くすると、吸液性コアが横方向の寸法が縮められて実質的にその吸収面積が小さくなったり、ギャザーが形成されて吸液性能が低下する等して吸収面積を有効に活用することができなかった。更に、例えば、ウエスト開口を指で摘んで引っ張り上げるときに、比較的高い伸長応力を有する高伸縮域において指が引っ掛かり難くなり、着用操作がし難いことがあった。
【０００６】
そこで、本発明の目的は、従来の技術の改良であって、着用物品のウエスト周りを着用者の身体にフィットさせて体液の漏れを防止することができるとともに、吸液性コアの吸収面積を有効に活用することができ、着用操作が容易なパンツ型の着用物品の提供にある。
【課題を解決するための手段】
【０００７】
上記課題を達成するために、本発明は、縦方向及び横方向と、肌対向面及びその反対側に位置する非肌対向面とを有し、前ウエスト域と、後ウエスト域と、前記前後ウエスト域間に位置するクロッチ域とを有するシャーシと、前記クロッチ域から前記前後ウエスト域へ延びる吸液性コアを有する吸液構造体と、前記前後ウエスト域の両側縁部を連結して画定されるウエスト開口及び一対のレッグ開口とを含むパンツ型の着用物品の改良にある。
【０００８】
本発明は、上記着用物品において、前記前後ウエスト域は、ストリング状又はストランド状であって前記横方向へ延びる複数条のウエスト弾性体と、前記非肌対向面側に位置する非伸縮性シートと、前記非伸縮性シートに積層されて前記肌対向面側に位置する弾性的に伸縮可能な伸縮性シートとを含み、前記吸液構造体は、前記縦方向において離間対向する前端部及び後端部を有し、前記吸液構造体の前記前後端部は、前記縦方向において離間対向する前記吸液性コアの前端縁及び後端縁から前記縦方向の外側へ延びており、前記伸縮性シートは、弾性的に伸縮可能な不織布からなり、前記ウエスト弾性体の非配置領域に配置されるとともに、前記吸液性コアの前記縦方向の外側であって、前記吸液構造体の前記前後端部と平面視において重なって位置し、前記肌対向面側において前記前後ウエスト域の前記横方向の全域に延びており、前記シャーシの内面には、前記伸縮性シートによる環状の弾性帯が形成されることを特徴とする。
【発明の効果】
【０００９】
本発明に係るパンツ型の着用物品の一つ以上の実施形態によれば、前後ウエスト域の肌対向面側に、弾性的に伸縮可能な伸縮性シートを含み、伸縮性シートは、前後ウエスト域の横方向の全域に延びており、シャーシの内面には、伸縮性シートによる環状の弾性帯が形成されるため、着用物品のウエスト周りを着用者の身体にフィットさせて漏れを防止することができる。また、伸縮性シートは、吸液性コアの縦方向の外側であって、吸液構造体の前後端部と平面視において重なって位置しているため、伸縮性シートによって、吸液性コアが横方向に収縮するおそれがなく、吸液性コアの吸収面積を有効に活用することができる。また、伸縮性シートの伸長応力を低くして、伸縮性シートが配置されている領域に指を引っ掛け易くすることができ、その結果、着用操作を容易にすることができる。また、吸液性コアと重ならない位置に伸縮性シートによる環状の弾性帯が形成されることで、着用者の身体に対して前後のバランスを崩すことなく着用物品をフィットさせることができ、位置ずれが生じ難い。更に、糸状の弾性材料に比して身体にフィットする面積が広い伸縮性シートが環状に配置されることで、着用操作において前ウエスト域側を引っ張った際に、後ウエスト域側がたくれることなく、前ウエスト域に追従して引き上げやすくなる。また、素材感が変わることで着用操作時に掴み位置を把握しやすくなって、掴みやすくすることができる。視力が弱い着用者の場合にはその効果が高い。
【図面の簡単な説明】
【００１０】
図面は、本開示に係る本発明の特定の実施の形態を示し、発明の不可欠な構成ばかりでなく、選択的及び好ましい実施の形態を含む。
【図１】本開示に係るパンツ型の着用物品の一例として示す使い捨ておむつの斜視図。
【図２】各弾性体の最大伸長時（弾性体の収縮作用によるギャザーがなくなる程度）まで縦方向及び横方向に伸展したおむつの一部破断展開平面図。
【図３】おむつの一部破断分解斜視図。
【図４】図１のＩＶ−ＩＶ線に沿う模式的断面図。
【図５】図４のＶ部位の拡大図。
【図６】図４のＶＩ部位の拡大図。
【図７】おむつの肌対向面側の状態を示す説明図。
【図８】図１のＶＩＩＩ部位をおむつの肌対向面側から視た状態を示す説明図。
【発明を実施するための形態】
【００１１】
下記の実施の形態は、本発明の一例である図１〜４に示すパンツ型の着用物品に関し、発明の不可欠な構成ばかりではなく、選択的及び好ましい構成を含む。図２において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。
【００１２】
図１〜３を参照すると、本発明に係るパンツ型の着用物品の一例である使い捨てのパンツ型おむつ１０は、互いに直交する縦方向Ｙ及び横方向Ｘと、肌対向面及びその反対側の非肌対向面と、横方向Ｘの長さ寸法を二等分する縦軸Ｐと、縦方向Ｙの長さ寸法を二等分する横軸Ｑとを有し、縦軸Ｐに関してほぼ対称であり、前ウエスト域１１と、後ウエスト域１２と、前ウエスト域１１および後ウエスト域１２の間に位置するクロッチ域１３とを含む。
【００１３】
おむつ１０は、ベース形態をなすシャーシ１４と、シャーシ１４の肌対向面側に位置し、クロッチ域１３から前後ウエスト域１１，１２へ延びる吸液構造体１５とを含む。シャーシ１４は、クロッチ域１３を画定する両側縁部が凹曲状を有し、クロッチ域１３の最も幅狭の部分は横軸Ｑよりも前ウエスト域１１側へ位置している。前ウエスト域１１の側縁部１１ａ，１１ｂと後ウエスト域１２の側縁部１２ａ，１２ｂとは、おむつ１０の前後方向Ｚにおいて互いに対向する側縁部が互いに縦方向Ｙへ断続的に延びるサイドシーム２２によって連結されることによって、ウエスト開口２３及び一対のレッグ開口２４が画定される。サイドシーム２２では、例えば、熱又は超音波によるエンボス・デボス加工等の公知の手段によって互いに重なり合うシートどうしが融着される。
【００１４】
＜シャーシ＞
シャーシ１４は、縦方向Ｙにおいて離間対向する第１及び第２端縁１４ａ，１４ｂと、横方向Ｘにおいて離間対向する両側縁１４ｃ，１４ｄとを有し、肌対向面に位置し、前後ウエスト域１１，１２及びクロッチ域１３を一連に画定する繊維不織布製であって非伸縮性のベースシート２５と、非肌対向面側に位置し、縦方向Ｙにおいて互いに離間対向する繊維不織布製であって、非伸縮性の前ウエストシート（非伸縮性シート）２６及び後ウエストシート（非伸縮性シート）２７とを含む。
【００１５】
ベースシート２５は、縦方向Ｙにおいて離間対向する前端縁２５ａ及び後端縁２５ｂと、横方向Ｘにおいて離間対向する両側縁２５ｃ，２５ｄとを有する。両側縁２５ｃ，２５ｄは、シャーシ１４の両側縁１４ｃ，１４ｄと重なり、前後ウエスト域１１，１２における直状部位と、クロッチ域１３において、縦軸Ｐに向かって後ウエスト域１２側から前ウエスト域１１側により深く凸曲する曲状部位とから形成される。
【００１６】
前ウエストシート２６は、前ウエスト域１１とクロッチ域１３の一部とを形成する略台形状であって、横方向Ｘへ延びる中間内端縁２６ａ及び外端縁２６ｂと、縦方向Ｙへ延びる両外側縁２６ｃ，２６ｄと、両外側縁２６ｃ，２６ｄと中間内端縁２６ａとを結ぶ両側内端縁２６ｅ，２６ｆとから形成される。両側内端縁２６ｅ，２６ｆは、外側縁２６ｃ，２６ｄから横方向Ｘへ直状に延びる直状部位と、該直状部位から中間内端縁２６ａに延びる曲状部位とを有する。前ウエストシート２６は、横方向Ｘへ延びる前折曲線３１に沿って内側へ折り曲げられた内層部分３２を有し、前折曲線３１は、シャーシ１４の第１端縁１４ａに一致する。内層部分３２は、ベースシート２５の内面に吸液構造体１５が配置された状態で、ベースシート２５の前端縁２５ａに沿って内側へ折り曲げられ、ベースシート２５及び後記の第１伸縮性シート（伸縮性シート）４１の肌対向面に固定される。
【００１７】
後ウエストシート２７は、後ウエスト域１２とクロッチ域１３の一部とを形成する略台形状であって、横方向Ｘへ延びる中間内端縁２７ａ及び外端縁２７ｂと、外端縁２７ｂから縦方向Ｙへ延びる両外側縁２７ｃ，２７ｄと、両外側縁２７ｃ，２７ｄと内端縁２７ａとを曲状に結ぶ両側内端縁２７ｅ，２７ｆとから形成される。後ウエストシート２７は、横方向Ｘへ延びる後折曲線３３に沿って内側へ折り曲げられた内層部分３４を有し、後折曲線３３は、シャーシ１４の第２端縁１４ｂに一致する。内層部分３４は、ベースシート２５の内面に吸液構造体１５が配置された状態で、ベースシート２５の後端縁２５ｂに沿って内側へ折り曲げられ、ベースシート２５及び後記の第２伸縮性シート（伸縮性シート）４２の肌対向面に固定される。なお、内層部分３２，３４は、前後ウエストシート２６，２７とは別体のシート部材から形成してもよい。
【００１８】
図２〜図４を参照すると、前ウエストシート２６とベースシート２５との間には、前ウエスト域１１において横方向Ｘへ延びる前ウエスト弾性体（ウエスト弾性体）７２が伸長状態で収縮可能に取り付けられる。前ウエストシート２６の内層部分３２とベースシート２５との間には、横方向Ｘに延びる第１伸縮性シート４１が伸長状態で収縮可能に取り付けられる。後ウエストシート２７とベースシート２５との間には、後ウエスト域１２において横方向Ｘへ延びる後ウエスト弾性体（ウエスト弾性体）７４と、後ウエスト域１２からクロッチ域１３へ向かって湾曲して延びる臀部弾性体７６とが伸長状態で収縮可能に取り付けられる。後ウエストシート２７の内層部分３４とベースシート２５との間には、横方向Ｘに延びる第２伸縮性シート４２が伸長状態で収縮可能に取り付けられる。前後ウエスト域１１，１２は、各弾性体及び各伸縮性シートが配置されることによって、後記の弾性的に伸縮可能な前後ウエスト弾性域７１，７３及び臀部対応域７５を有する。
【００１９】
ベースシート２５及び前後ウエストシート２６，２７としては、質量が約１０〜４０ｇ／ｍ２であり、繊維密度が約０．０３〜０．１０ｇ／ｃｍ３である、例えば、スパンボンド繊維不織布、ＳＭＳ（スパンボンド・メルトブローン・スパンボンド）繊維不織布、エアスルー繊維不織布、プラスチックシート、またはそれらのラミネートシートなどを用いることができる。本実施形態においては、ベースシート２５として質量約１０〜１８ｇ／ｍ２、好ましくは質量約１３ｇ／ｍ２のＳＭＳ繊維不織布、前後ウエストシート２６，２７として質量約１５〜２５ｇ／ｍ２、好ましくは質量約２０ｇ／ｍ２のスパンボンド繊維不織布を用いることができる。本実施形態においては、前後ウエストシート２６，２７の外面に、オプションとして格子状のエンボス・デボス加工が施されており、凹凸の模様２８が配置される。また、本実施形態においては、クロッチ域１３の中央部１３Ｃがベースシート２５のみから形成されているが、複数のシートから形成されていてもよい。
【００２０】
おむつ１０の各寸法（シャーシ１４の対応する寸法と同じ）について言えば、おむつ１０の縦方向Ｙにおける寸法Ｌ１は約６００〜１０００ｍｍ、横方向Ｘにおける寸法Ｗ１は約４００〜８００ｍｍ、前ウエスト域１１の側縁部１１ａ，１１ｂの縦方向Ｙにおける寸法Ｌ２（後ウエスト域１２の側縁部１２ａ，１２ｂの縦方向Ｙにおける寸法と同じ）は、約８０〜１５０ｍｍである。
【００２１】
＜吸液構造体＞
図２及び図３を参照すると、吸液構造体１５は、縦方向Ｙに離間対向して横方向Ｘに延びる前端縁１５ａ及び後端縁１５ｂと、横方向Ｘにおいて離間対向して縦方向Ｙに延びる両側縁１５ｃとを有し、前端部１６Ａと、後端部１６Ｂと、前後端部１６Ａ，１６Ｂ間に位置する中央部１６Ｃとを有する。吸液構造体１５は、肌対向面側に位置し、透液性を有する繊維不織布製の身体側ライナ５０と、曲状の両側縁を有する吸液性の吸収体５１と、一対のバリアカフシート５２と、防漏シート５３とを含む。
【００２２】
吸収体５１は、例えば、フラッフパルプと、吸収性ポリマー粒子等との混合物から形成された吸液性コアと、吸液性コア全体を被包するティッシュペーパ等の液吸収拡散性のコアラップシートとを含む。吸液性コアは、前ウエスト域１１において横方向Ｘに延びる前端縁５８ａと、前端縁５８ａと縦方向Ｙにおいて離間対向し、後ウエスト域１２において横方向Ｘに延びる後端縁５８ｂとを有する。身体側ライナ５０、バリアカフシート５２及び防漏シート５３は、吸液性コアの前端縁５８ａ及び後端縁５８ｂから、それぞれ縦方向Ｙに延出する前エンドフラップ６４Ａ及び後エンドフラップ６４Ｂを形成する。吸液構造体１５とシャーシ１４（ベースシート２５）とは、それらの対向面の少なくとも一方に塗布されたホットメルト接着剤等の公知の接合手段から形成された接合域６０を介して互いに接合される。本実施形態においては、接合域６０は、縦方向Ｙにおいて離間した複数の接合部位６１，６２から構成されているが、吸液構造体１５の裏面全体を接合するように連続した接合域であってもよい。
【００２３】
図３を参照すると、一対のバリアカフシート５２は、２つに折り畳まれて内面を互いに固定したものであって、身体側ライナ５０の肌対向面に固定された、縦方向Ｙにおいて離間対向する前固定部６７ａ及び後固定部６７ｂと、縦方向Ｙへ延びる固定側縁部５２ｂと、固定側縁部５２ｂから横方向Ｘの内側に位置する自由側縁部５２ａとを有する。バリアカフシート５２の自由側縁部５２ａ内には、ストリング状又はストランド状の弾性部材からなり、縦方向Ｙへ延びるカフ弾性体５７が伸長状態で収縮可能に取り付けられる。カフ弾性体５７が収縮することによって、自由側縁部５２ａが身体側ライナ５０から着用者の身体側へ離間し、体液の横漏れを防止するための一対の防漏カフが形成される。防漏シート５３は、不透液性の繊維不織布、不透液性で透湿性のプラスチックフィルム又はそれらのラミネートシートから形成されており、少なくとも吸収体５１の下面のほぼ全体を覆うように配置されており、吸液構造体１５の非肌対向面（底面）側から体液が漏れ出るのを防止する。
【００２４】
＜各弾性域＞
図２、図４及び図５を参照すると、前ウエスト域１１は、横方向Ｘに伸長・収縮可能な前ウエスト弾性域７１を有する。前ウエスト弾性域７１は、ウエスト開口縁側に位置し、複数条の前ウエスト弾性体７２が取り付けられた第１前弾性域７１Ａと、クロッチ域１３側に位置し、複数条の前ウエスト弾性体７２が取り付けられた第２前弾性域７１Ｂと、第１及び第２前弾性域７１Ａ，７１Ｂの間であって、吸液性コアの縦方向Ｙ外側に位置し、第１伸縮性シート４１が取り付けられた第３前弾性域７１Ｃとを有する。
【００２５】
第２前弾性域７１Ｂの中央部であって、平面視において吸液性コアと重なる領域には、非伸縮領域が形成されている。非伸縮領域は、この種の分野において公知の各種方法によって形成することができ、例えば、該領域において前ウエスト弾性体７２を非接合とし、それを切断してカットバック（いわゆるスナップバック）させて非連続にしたり、該領域の弾性体を切除又は弾性劣化処理したりすることによって形成することができる。
【００２６】
図２、図４及び図６を参照すると、後ウエスト域１２は、横方向Ｘに伸長・収縮可能な後ウエスト弾性域７３を有する。後ウエスト弾性域７３は、ウエスト開口縁側に位置し、複数条の後ウエスト弾性体７４が取り付けられた第１後弾性域７３Ａと、クロッチ域１３側であって、吸液性コアの縦方向Ｙ外側に位置し、複数条の後ウエスト弾性体７４が取り付けられた第２後弾性域７３Ｂと、第１及び第２後弾性域７３Ａ，７３Ｂの間に位置し、第２伸縮性シート４２が取り付けられた第３後弾性域７３Ｃとを有する。
【００２７】
図２及び図４を参照すると、シャーシ１４は、後ウエスト域１２からクロッチ域１３の一部、具体的には、クロッチ域１３における後ウエストシート２７の中間内端縁２７ａまで延びる臀部対応域７５を有する。臀部対応域７５は、横軸Ｑへ向かって凸となるように湾曲状に延びる複数条の臀部弾性体７６が伸長状態で収縮可能に取り付けられた臀部弾性部７７を有する。臀部弾性部７７は、臀部弾性体７６が後ウエストシート２７の中間内端縁２７ａに沿って横方向Ｘに直状に延びる直状部と、直状部の両側に位置する傾斜部とを有する。
【００２８】
＜各弾性体＞
前ウエスト弾性体７２は、例えば繊度が約４５０〜１２４０ｄｔｅｘであって、収縮又は弛緩された状態から約１．５〜３．５倍に伸長されたストリング状又はストランド状の弾性部材から形成することができる。本実施形態において、第１前弾性域７１Ａに位置する前ウエスト弾性体７２は、例えば、繊度が約７８０ｄｔｅｘ、伸長倍率が約２．８倍の５本の弾性材料からなり、縦方向Ｙに約６ｍｍ間隔で離間して配置され、前折曲線３１を介して折り重ねられた前ウエストシート２６間に取り付けられる。第２前弾性域７１Ｂに位置する前ウエスト弾性体７２は、例えば、繊度が約７８０ｄｔｅｘ、伸長倍率が約３．２倍の６本の弾性材料からなり、縦方向Ｙに約１０ｍｍ間隔で離間して配置される。
【００２９】
後ウエスト弾性体７４は、例えば繊度が約４５０〜１２４０ｄｔｅｘであって、収縮又は弛緩された状態から約１．５〜３．５倍に伸長されたストリング状又はストランド状の弾性部材から形成することができる。本実施形態において、第１後弾性域７３Ａに位置する後ウエスト弾性体７４は、例えば、繊度が約７８０ｄｔｅｘ、伸長倍率が約２．８倍の５本の弾性材料からなり、縦方向Ｙに約６ｍｍ間隔で離間して配置され、後折曲線３３を介して折り重ねられた後ウエストシート２７間に取り付けられる。第２後弾性域７３Ｂに位置する後ウエスト弾性体７４は、例えば、繊度が約９４０ｄｔｅｘ、伸長倍率が約２．８倍の６本の弾性材料からなり、縦方向Ｙに約１０ｍｍ間隔で離間して配置される。
【００３０】
臀部弾性体７６は、繊度が約５００〜８００ｄｔｅｘであって、伸長倍率が約１．０〜２．５倍に伸長された複数条のストリング状又はストランド状の弾性部材から形成することができる。
【００３１】
＜第１及び第２伸縮性シート＞
図２〜図５を参照すると、第１伸縮性シート４１は、弾性的に伸長・収縮可能な不織布からなり、横方向Ｘに延びる内端縁部４１ａ及び外端縁部４１ｂと、縦方向Ｙに延びる両側縁部４１ｃ，４１ｄとを有し、前ウエスト域１１の横方向Ｘの全域に延びる矩形状に形成される。第１伸縮性シート４１は、第１端縁１４ａ及び吸液性コアの前端縁５８ａから所与寸法離間した位置に配置され、例えばスパイラル状に塗布された接着剤からなる接合部６５を介して、ベースシート２５の肌対向面に取り付けられる。横方向Ｘに延びる第１伸縮性シート４１の内端縁部４１ａ及び外端縁部４１ｂは、ベースシート２５に対して非接合である。本実施形態では、第１伸縮性シート４１の縦方向Ｙにおける寸法Ｗ２が約５０ｍｍであり、内外端縁部４１ａ，４１ｂのそれぞれにおいて、縦方向Ｙに約７．５ｍｍ以内の範囲が非接合となっている。
【００３２】
図２〜図４及び図６を参照すると、第２伸縮性シート４２は、弾性的に伸長・収縮可能な不織布からなり、横方向Ｘに延びる内端縁部４２ａ及び外端縁部４２ｂと、縦方向Ｙに延びる両側縁部４２ｃ，４２ｄとを有し、後ウエスト域１２の横方向Ｘの全域に延びる矩形状に形成される。第２伸縮性シート４２は、第２端縁１４ｂ及び吸液性コアの後端縁５８ｂから所与寸法離間した位置に配置され、例えばスパイラル状に塗布された接着剤からなる接合部６６を介して、ベースシート２５の肌対向面に取り付けられる。横方向Ｘに延びる第２伸縮性シート４２の内端縁部４２ａ及び外端縁部４２ｂは、ベースシート２５に対して非接合である。本実施形態では、第２伸縮性シート４２の縦方向Ｙにおける寸法Ｗ３が約４０ｍｍであり、内外端縁部４２ａ，４２ｂのそれぞれにおいて、縦方向Ｙに約７．５ｍｍ以内の範囲が非接合となっている。
【００３３】
第１及び第２伸縮性シート４１，４２には、例えば、質量が１０〜４０ｇ／ｍ２、より好ましくは、質量１５〜３０ｇ／ｍ２の弾性繊維（弾性フィラメント）から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。熱可塑性エラストマーとしては、ＳＢＳ（スチレン・ブタジエン・スチレン）、ＳＩＳ（スチレン・イソプレン・スチレン）、ＳＥＢＳ（スチレン・エチレン・ブタジエン・スチレン）、ＳＥＰＳ（スチレン・エチレン・プロピレン・スチレン）等のスチレン系エラストマー、オレフィン系エラストマー、ポリエステル系エラストマー、ポリウレタン系エラストマーを挙げることができる。これらは、一種を単独で又は二種以上を組み合わせて用いることができる。第１及び第２伸縮性シート４１，４２は、一方向のみに弾性を示すものでもよく、二方向以上に弾性を示すものでもよい。
【００３４】
第１及び第２伸縮性シート４１，４２の横方向Ｘにおける伸長倍率は、約１．２〜３．０倍であり、本実施形態では約１．８倍である。第１及び第２伸縮性シート４１，４２の横方向Ｘにおける伸長倍率は、前後ウエスト弾性体７２，７３の横方向Ｘにおける伸長倍率より低く、また、第３前後弾性域７１Ｃ，７３Ｃの所定幅における伸長応力は第１前後弾性域７１Ａ，７３Ａ及び第２前後弾性域７１Ｂ，７３Ｂの所定幅における伸長応力よりも低くなっている。各弾性域の伸長応力の相関関係は、前ウエスト域１１では、第２前弾性域７１Ｂ＞第１前弾性域７１Ａ＞第３前弾性域７１Ｃ、後ウエスト域１２では、第２後弾性域７３Ｂ＞第１後弾性域７３Ａ＞第３後弾性域７３Ｃであることが好ましい。
【００３５】
図４を参照すると、第１伸縮性シート４１の両側縁部４１ｃ，４１ｄと第２伸縮性シート４２の両側縁部４２ｃ，４２ｄは、それぞれ前後ウエスト域１１，１２の両側縁部において連結され、環状の弾性帯を形成しており、該弾性帯は、吸液性コアの縦方向Ｙ外側に位置している。図４において前後方向Ｚに平行に延びる仮想線Ｓ１，Ｓ２は、第１及び第２伸縮性シート４１，４２が前後方向Ｚにおいて互いに対向する領域を示している。このように、第１伸縮性シート４１と第２伸縮性シート４２とが協働してウエスト周り方向へ延びる環状の弾性帯を形成することによって、おむつ１０を着用者の身体に安定的にフィットさせることができる。
【００３６】
かかるフィット性を実現するために、弾性糸を配置することも有効であるが、前後ウエスト域１１，１２の全体に弾性糸を配置した場合には、弾性糸が配置された部分で局所的に伸長応力を発揮しておむつ１０が保持されるので、たとえ複数条の弾性糸で弾性域が形成されていたとしても、着用者に圧迫感を与えるおそれがあり、特に、着用者が成人に比べて肌の弱い乳幼児の場合であって、ウエスト開口からわずかに下方に位置する臍部に当接される領域に弾性糸が配置されている場合には、圧迫感を与えるだけではなく、ゴム痕が付いたり、かぶれの原因となるおそれがある。一方、かかる不利益を避けるために、前後ウエスト域１１、１２の一部においてウエスト周り方向へ延びる、弾性糸を配置してない非弾性域を形成した場合には、フィット性が低下して、おむつ１０のずり下がりを生じるおそれがある。
【００３７】
本実施形態においては、前後ウエスト域１１，１２において、ウエスト周り方向へ延びる弾性糸を配置していない非配置領域を形成したうえで、該非配置領域に帯状の伸縮性シート４１，４２を配置することによって、着用者の身体に対する圧迫感を低減させるとともに、フィット性を確保することができる。このように、伸縮性シートによって着用者の身体に対するフィット性を実現するためには、前ウエスト域１１に配置された第１伸縮性シート４１と後ウエスト域１２に配置された第２伸縮性シート４２とが、少なくとも互いに部分的に着用状態において前後方向Ｚに対向していることが好ましい。第１伸縮性シート４１と第２伸縮性シート４２とが縦方向Ｙにおいて完全に位置ずれしており、着用状態において部分的にも前後方向Ｚに対向していない場合には、それら伸縮性シート４１，４２によるウエスト周り方向へ延びる弾性帯が形成されず、着用者に対する圧迫感の低減とフィット性の確保との両立を実現することができないおそれがあるからである。
【００３８】
また、前後ウエスト域１１，１２において、吸液性コアと平面視において重なる領域には各伸縮性シート４１，４２及び各ウエスト弾性体７２，７４が配置されていない。このように、吸液性コアと平面視において重なる部分に弾性域が形成されていないことによって、弾性域の収縮作用によって吸液性コアを収縮させてその吸液性能を低下させるようなギャザーが形成されるおそれはない。一方、吸液性コアの存在しない前後エンドフラップ６４Ａ，６４Ｂにおいては、シャーシ１４を安定的に着用者の身体にフィットさせる必要があるところ、前後エンドフラップ６４Ａ，６４Ｂには、第２前後弾性域７１Ｂ，７３Ｂと第３前後弾性域７１Ｃ，７３Ｃとが位置しており、該領域はそれらの収縮力によって着用者の身体に安定的にフィットされる。また、本実施形態のように、吸液性コアの前端部及び後端部に近接して弾性糸が配置された第２前後弾性域７１Ｂ，７３Ｂが位置し、該弾性域７１Ｂ，７３Ｂの縦方向Ｙの外側に第１及び第２伸縮性シート４１，４２が配置されていることによって、第１及び第２伸縮性シート４１，４２の伸長応力が比較的に低くても、第２前後弾性域７１Ｂ，７３Ｂによって吸液性コアの前後端部から体液が滲出するのを効果的に防止することができる。
【００３９】
また、第３前後弾性域７１Ｃ，７３Ｃは、ウエスト開口２３から所与寸法離間した位置、具体的には、ウエスト開口２３から縦方向Ｙに約３０〜８０ｍｍ離間した位置に有り、着用操作時において、着用者又は着用補助者がウエスト開口縁部を手で把持（グリップ）したときに、指が食い込むように当接する部分である。該当接部分に位置する第３前後弾性域７１Ｃ，７３Ｃの伸長応力が比較的に低いことによって、伸長応力が比較的に高い場合に比して柔軟であって指を引っ掛け易く、前後ウエスト域１１，１２の引き上げ操作が容易になる。また、第３前後弾性域７１Ｃ，７３Ｃの伸長応力を比較的に低くすることによって、ウエスト開口２３を拡げ易く、おむつ１０の着脱操作が容易になる。
【００４０】
図４を参照すると、前ウエスト域１１において、第１前弾性域７１Ａと第３前弾性域７１Ｃとは縦方向Ｙにおいて互いに所与寸法離間しており、また、第３前弾性域７１Ｃと第２前弾性域７１Ｂとは縦方向Ｙにおいて互いに所与寸法離間しており、それらの間には、弾性部材が配置されていない非弾性域（第１及び第２非弾性域）８１，８２が位置する。後ウエスト域１２において、第１後弾性域７３Ａと第３後弾性域７３Ｃとは縦方向Ｙにおいて所与寸法離間しており、それらの間には弾性部材が配置されていない非弾性域（第３非弾性域）８３が位置する。各非弾性域８１，８２，８３の縦方向Ｙの寸法Ｒ１，Ｒ２，Ｒ３は、約１０ｍｍ以上であることが好ましく、本実施形態では、非弾性域８１の寸法Ｒ１が約２１ｍｍであり、非弾性域８２の寸法Ｒ２が約２０ｍｍであり、非弾性域８３の寸法Ｒ３が１１ｍｍである。なお、第３後弾性域７３Ｃと第２後弾性域７３Ｂとの間に、弾性部材が配置されていない非弾性域（第４非弾性域）を形成してもよい。
【００４１】
このように、第１及び第２伸縮性シート４１，４２と隣接する領域に弾性部材が配置されていない非弾性域８１−８３が位置することによって、該非弾性域８１−８３は各弾性域の緩衝域となる。すなわち、縦方向Ｙにおいて互いに隣接する、第１前後弾性域７１Ａ，７３Ａと第３前後弾性域７１Ｃ，７３Ｃ、第３前後弾性域７１Ｃ，７３Ｃと第２前後弾性域７１Ｂ，７３Ｂとが、それぞれ離間していることによって、互いに伸長力が直接的に作用して所望の伸長応力が発揮されない（阻害される）のを防止することができる。また、非弾性域は、少なくとも前後ウエスト域１１，１２のいずれか一方のウエスト域において、伸縮性シートの縦方向Ｙ内側に設けることが好ましく、前ウエスト域１１における第１伸縮性シート４１の内側に設けることがより好ましい。第１及び第２伸縮性シート４１，４２の内側に非弾性域を設けることによって、着用操作時において該非弾性域に指を引っ掛けて、第３前後弾性域７１Ｃ，７３Ｃを手で掴み易くすることができる。成人用のおむつ１０では、着用者が前ウエスト域１１に指を掛けて着用操作することが多く、特に前ウエスト域１１の第１伸縮性シート４１の縦方向Ｙ内側に非弾性域（第２非弾性域）８２を形成することで、着用操作がより簡易になる。
【００４２】
図４〜図６を参照すると、既述のとおり、第１及び第２伸縮性シート４１，４２の内端縁部４１ａ，４２ａ及び外端縁部４１ｂ，４２ｂは、それぞれ吸液構造体１５の前後端部１６Ａ，１６Ｂ及びベースシート２５に対して非接合である。このように、各伸縮性シート４１，４２の内外端縁部４１ａ，４１ｂ，４２ａ，４２ｂをベースシート２５に接合しないことによって、非弾性域を形成しなくても、隣接する第１及び第２前後弾性域７１Ａ，７１Ｂ，７２Ａ，７２Ｂの収縮力が伸縮性シートに直接作用するのを防止することができる。また、内端縁部４１ａ，４２ａは、弾性作用によって身体へ向かって起立したような状態となり、吸液構造体１５の前後端部１６Ａ，１６Ｂからウエスト開口２３側への排泄物の移動を防止しうる防漏壁（第１防漏壁）としての機能を果たしうる。
【００４３】
また、前ウエストシート２６の内層部分３２は、第１伸縮性シート４１の外端縁部４１ｂを覆っており、内層部分３２の内端３５は、平面視において第１伸縮性シート４１と重なって位置し、かつ、第１伸縮性シート４１に対して非接合である。後ウエストシート２７の内層部分３４は、第２伸縮性シート４２の外端縁部４２ｂを覆っており、内層部分３４の内端３６は、平面視において第２伸縮性シート４２と重なって位置し、第２伸縮性シート４２に対して非接合である。内端３５，３６を非接合にすることで、第１及び第２伸縮性シート４１，４２の内端縁部４１ａ，４２ａの縦方向Ｙ外側において、排泄物の漏れを防ぐ第２の防漏壁を形成することができ、より確実に漏れを防止することができる。
【００４４】
すなわち、内層部分３２，３４は非伸縮性であるところ、弾性伸縮性を有する第１及び第２伸縮性シート４１、４２に固定されることによって、それとともに伸縮され、非接合状態における内端３５，３６はその収縮作用によってベースシート２５から身体側へ向かって起立して第２防漏壁が形成されうる。また、内端３５，３６の縦方向Ｙの寸法は、第１及び第２伸縮性シート４１，４２の内端縁部４１ａ，４２ａの縦方向Ｙの寸法よりも大きく、おむつ１０の内側において第２防漏壁は第１防漏壁よりも高く、第１防漏壁を越えてウエスト開口２３側へ移動した排泄物の漏れを効果的に防止しうる。このように、吸液構造体１５の前後エンドフラップ６４Ａ，６４Ｂにおいて、フリル状の第１及び第２防漏壁が近接して形成されることによって、おむつ１０の内面視は特異な態様を有する（図７参照）。前後ウエスト域１１，１２のうち、一方のウエスト域に形成される第２防漏壁の縦方向Ｙにおける寸法（すなわち、非接合状態にある内端の縦方向Ｙにおける寸法）を他方のウエスト域に形成される第２防漏壁の縦方向Ｙにおける寸法よりも大きくして、防漏効果を向上させることが可能であり、本実施形態では、前ウエスト域１１の第２防漏壁（内端３５）の縦方向Ｙにおける寸法が、後ウエスト域１２の第２防漏壁（内端３６）のそれよりも大きい。また、第１及び第２伸縮性シート４１，４２の外端縁部４１ｂ，４２ｂは、吸液構造体１５から離間して、それを覆う内層部分３２，３４の内端３５，３６に当接して、且つ内端３５，３６を支持し、内端３５，３６による第２防漏壁の起立を補助する機能をも有する。また、非接合状態にある内端３５，３６の少なくとも一部が、非接合状態にある外端縁部４１ｂ，４２ｂと平面視において重なるように配置してもよい。このように非接合状態にある内端３５，３６と外端縁部４１ｂ，４２ｂとを厚さ方向に重ねることで、第２防漏壁がより身体側へ向かって起立しやすくなる。
【００４５】
図８は、図１に示すおむつ１０の前後ウエスト域１１，１２の側縁部（すなわち、前後ウエスト域１１，１２の連結部分）を肌対向面側から視た状態を示す説明図である。図４及び図８を参照すると、第１伸縮性シート４１の縦方向Ｙにおける寸法Ｗ２と、第２伸縮性シート４２の縦方向Ｙにおける寸法Ｗ３とは相違しており、具体的には、寸法Ｗ２は約５０ｍｍ、寸法Ｗ３は約４０ｍｍであって、前者が後者よりも大きくなっており、第１伸縮性シート４１の内端縁４４と第２伸縮性シート４２の内端縁４５とは縦方向Ｙにおいて互いに位置ずれしている。本実施形態では、第１伸縮性シート４１の内端縁４４が第２伸縮性シート４２の内端縁４５よりもクロッチ域１３側に位置している。このように、第１伸縮性シート４１の寸法Ｗ２が第２伸縮性シート４２の寸法Ｗ３よりも大きいことから、第１伸縮性シート４１によって着用者の凸曲状の腹部に対して比較的に広い範囲で前ウエスト域１１をフィットさせて、おむつ１０の位置ずれを抑えることができる。なお、本発明の効果を奏する限りにおいて、第１伸縮性シート４１（又は第３前弾性域７１Ｃ）と第２伸縮性シート４２（又は第３後弾性域７３Ｃ）とは、少なくとも部分的に着用状態において前後に対向していればよく、本実施形態のように寸法Ｗ２が寸法Ｗ３よりも大きくてもよいし、後者が前者よりも大きくてもよく、それがほぼ同等の大きさであってもよい。
【００４６】
図２及び図３を参照すると、防漏カフの前端部は、シャーシ１４（ベースシート２５）と第１伸縮性シート４１の間に配置され、防漏カフの後端部は、シャーシ１４（ベースシート２５）と第２伸縮性シート４２の間に配置されており、防漏カフに取り付けられたカフ弾性体５７の前端部５７ａ及び後端部５７ｂは、それぞれ平面視において第１及び第２伸縮性シート４１，４２と重なっていない。このように、カフ弾性体５７が第１及び第２伸縮性シート４１，４２と平面視において重なっていないことによって、各伸縮性シート４１，４２に縦方向Ｙへ伸縮するカフ弾性体５７の収縮力が間接的に作用してその収縮が阻害されることはない。また、防漏カフの前後固定部６７ａ，６７ｂが第１及び／又は第２伸縮性シート４１，４２よりも縦方向Ｙの外側である場合には、防漏カフの起立によってそれに重なって位置する第１及び／又は第２伸縮性シート４１，４２の内端縁部４１ａ，４２ａによる第１防漏壁がより安定的に起立される。
【００４７】
図３及び図６を参照すると、後ウエスト域１２における第２後弾性域７３Ｂの存在領域において、吸液構造体１５はベースシート２５に固定されていない非接合域６３を有する。このように、吸液構造体１５の後端部１６Ｂの一部を非接合とすることによって、複数のシートの接合による柔軟性の低下を抑制するとともに、シャーシ１４と吸液構造体１５とにおける通気性を向上させることができる。なお、ベースシート２５に対して吸液構造体１５の前端部１６Ａの一部を非接合としてもよく、前後端部１６Ａ，１６Ｂそれぞれの一部を非接合としてしてもよい。
【００４８】
図２を参照すると、臀部対応域７５に配置された臀部弾性体７６は、凹曲状を有しており、吸液構造体１５の両側には、第２後弾性域７３Ｂと臀部弾性部７７とバリアカフシート５２の固定側縁部５２ｂとによって囲まれた、表面積が比較的に大きい臀部カバー部７８が形成される。具他的には、臀部カバー部７８の縦方向Ｙの最大寸法（後ウエスト弾性体７４のうち、最もクロッチ域１５側に位置する後ウエスト弾性体と、臀部弾性体７６のうち、最もウエスト開口２３側に位置する臀部弾性体の直状部との離間寸法。）が後ウエスト域１２の縦方向Ｙの寸法Ｌ２の約６０〜８０％の大きさを有する。臀部対応域７５には、横方向Ｘに直線状に延びる弾性部材が配置されておらず、臀部カバー部７８が比較的に大きい表面積を有するため、臀部カバー部７８は臀部を強く締め付けることなく、外方へ膨らんだような形態を呈し、おむつ１０の背面全体が膨らんで柔らかい下着のような印象を与えることができる。一方、臀部カバー部７８よりもウエスト開口縁側には、第１及び第２伸縮性シート４１，４２によって環状の弾性帯が形成されているため、臀部の締め付けを弱くしていても、おむつ１０のずり下がりを防止して着用者の身体に安定的にフィットさせることができる。
【００４９】
＜伸長応力の測定方法＞
前後ウエスト弾性域７１，７３の各弾性域の伸長応力は、インストロン  ジャパン  カンパニーリミテッド社製の引張試験機（ＩＮＳＴＲＯＮ  型式：５５６４）を用い、引張速度を１００ｍｍ／ｍｉｎに設定して、以下の方法で測定した。各弾性域のうちで吸収体と重なることのない部分について、その部分から横方向Ｘの長さが３０〜５０ｍｍの試片を切り取って、自然状態にある試片に横方向Ｘの離間寸法が２０ｍｍの一対の標線を記入し、その離間寸法が１．７倍になるまで伸長した時の各試片の伸長力を求めて、比較する。なお、各試片においてその幅寸法であるおむつ１０の縦方向Ｙの寸法が一定でない場合には、各試片についての伸長力を幅３０ｍｍである場合の値に換算したときの伸長応力によって各試片を比較する。
【００５０】
本発明の使い捨ておむつ１０を構成する各構成部材には、明細書に記載されている材料のほかに、この種の物品において通常用いられている各種公知の材料を制限なく用いることができる。また、明細書及び特許請求の範囲において、「第１」「第２」及び「第３」の用語は、同様の要素、位置等を単に区別するために用いられる。
【００５１】
以上に記載した本発明に関する開示は、少なくとも下記の事項に整理することができる。
【００５２】
縦方向Ｙ及び横方向Ｘと、肌対向面及びその反対側に位置する非肌対向面とを有し、前ウエスト域１１と、後ウエスト域１２と、前後ウエスト域１１，１２間に位置するクロッチ域１３とを有するシャーシ１４と、クロッチ域１３から前後ウエスト域１１，１２へ延びる吸液性コアを有する吸液構造体１５と、前後ウエスト域１１，１２の両側縁部を連結して画定されるウエスト開口２３及び一対のレッグ開口２４とを含むパンツ型のおむつ１０において、前後ウエスト域１１，１２は、非肌対向面側に位置する非伸縮性の前後ウエストシート２６，２７と、前後ウエストシート２６，２７に積層されて肌対向面側に位置する弾性的に伸縮可能な第１及び第２伸縮性シート４１，４２とを含み、吸液構造体１５は、縦方向Ｙにおいて離間対向する前端部１６Ａ及び後端部１６Ｂを有し、吸液構造体１５の前後端部１６Ａ，１６Ｂは、縦方向Ｙにおいて離間対向する吸液性コアの前端縁５８ａ及び後端縁５８ｂから縦方向Ｙの外側へ延びており、第１及び第２伸縮性シート４１，４２は、吸液性コアの縦方向Ｙの外側であって、吸液構造体１５の前後端部１６Ａ，１６Ｂと平面視において重なって位置し、肌対向面側において前後ウエスト域１１，１２の横方向Ｘの全域に延びており、シャーシ１４の内面には、第１及び第２伸縮性シート４１，４２による環状の弾性帯が形成されることを特徴とする。
【００５３】
上記段落に開示した本発明は、少なくとも下記の実施の態様を含むことができる。
（１）前後ウエスト域１１，１２のうち、少なくとも一方のウエスト域１１は、伸縮性シート４１よりもクロッチ域１３側に位置し、伸長状態で横方向Ｘへ収縮可能に取り付けられた複数条のウエスト弾性体７２を含み、一方のウエスト域１１において、伸縮性シート４１とウエスト弾性体７２との間には、非弾性領域８２が形成される。
（２）第１及び第２伸縮性シート４１，４２は、縦方向Ｙにおいて離間対向し、横方向Ｘに延びる外端縁部４１ｂ，４２ｂ及び内端縁部４１ａ，４２ａを有し、外端縁部４１ｂ，４２ｂ及び内端縁部４１ａ，４２ａは、吸液構造体１５の前後端部１６Ａ，１６Ｂと非接合である。
（３）前後ウエストシート２６，２７は、肌対向面側において、ウエスト開口２３からクロッチ域１３側へ延びる内層部分３２，３４を有し、内層部分３２，３４は、第１及び第２伸縮性シート４１，４２の外端縁部４１ｂ，４２ｂを覆う。
（４）前後ウエストシート２６，２７の内層部分３２，３４の内端３５，３６は、第１及び第２伸縮性シート４１，４２に対して非接合である。
（５）伸縮性シート４１，４２は、前ウエスト域１１に位置する第１伸縮性シート４１と、後ウエスト域１２に位置する第２伸縮性シート４２とを含み、着用状態において、第１伸縮性シート４１の内端縁４４と第２伸縮性シート４２の内端縁４５とが、縦方向Ｙにおいて互いに位置ずれしている。
（６）第１伸縮性シート４１と、第２伸縮性シート４２とは、縦方向Ｙの寸法が異なる。
（７）ウエスト弾性体７２は、吸液性コアと平面視において重なる領域において非連続である。
（８）吸液構造体１５は、横方向Ｘに離間して縦方向Ｙに延びる一対の防漏カフを含み、防漏カフの前端部及び後端部は、シャーシ１４と伸縮性シート４１，４２との間に位置する。
（９）吸液構造体１５の前後端部１６Ａ，１６Ｂのうち、少なくとも一方の端部１６Ｂは、縦方向Ｙにおいて伸縮性シート４２と吸液性コアとの間の領域が、シャーシ１４に対して非接合である。
【符号の説明】
【００５４】
１０    使い捨てのパンツ型おむつ（パンツ型の着用物品）
１１    前ウエスト域
１２    後ウエスト域
１３    クロッチ域
１４    シャーシ
１５    吸液構造体
２６    前ウエストシート（非伸縮性シート）
２７    後ウエストシート（非伸縮性シート）
３２，３４  内層部分
４１    第１伸縮性シート（伸縮性シート）
４２    第２伸縮性シート（伸縮性シート）
５８ａ  吸液性コアの前端縁
５８ｂ  吸液性コアの後端縁
７２    前ウエスト弾性体（ウエスト弾性体）
７４    後ウエスト弾性体（ウエスト弾性体）
４１ａ，４２ａ  内端縁部
４１ｂ，４２ｂ  外端縁部
Ｘ      横方向
Ｙ      縦方向
【要約】
【課題】着用物品のウエスト周りを着用者の身体にフィットさせて体液の漏れを防止することができるとともに、吸液性コアの吸収面積を有効に活用することができ、着用操作が容易なパンツ型の着用物品の提供。
【解決手段】着用物品（１０）は、前後ウエスト域（１１）（１２）において非肌対向面側に位置する非伸縮性シート（２６）（２７）と、肌対向面側に位置する弾性的に伸縮可能な伸縮性シート（４１）（４２）とを含み、前記伸縮性シートは、吸液性コアの縦方向（Ｙ）の外側であって、吸液構造体（１５）の前後端部と平面視において重なって位置し、肌対向面側において前記前後ウエスト域の横方向（Ｘ）の全域に延びており、シャーシ（１４）の内面には、前記伸縮性シートによる環状の弾性帯が形成される。
【選択図】図２【図１】
0005602971.tif 000002
【図２】
0005602971.tif 000003
【図３】
0005602971.tif 000004
【図４】
0005602971.tif 000005
【図５】
0005602971.tif 000006
【図６】
0005602971.tif 000007
【図７】
0005602971.tif 000008
【図８】
0005602971.tif 000009